(57)【要約】【課題】フィルターのお手入れ時期や交換時期の情報、交換するフィルターの型番等の固有情報を、使用者が所持する携帯情報端末に送信し、使用者が聞き逃したりメモを取り忘れたりしても、携帯情報端末でそれらの情報を確認することができる、利便性が向上した使い勝手のよい空気清浄機を提供することを目的とする。【解決手段】本体に設けられ、空気を吸い込む吸気口と、本体内に設けられ、吸気口から吸込んだ空気を浄化する交換可能に設けられた浄化手段と、浄化手段の下流に設けられ、空気を吸い込む吸引力を発生する電動送風機と、少なくとも電動送風機を制御する制御手段と、吸い込んだ空気を本体外へ吹き出す吹き出し口と、を備え、浄化手段の部品情報は本体内に設けられた記憶手段に記憶されていて、制御手段は、本体内に設けられた情報送信手段により、少なくとも浄化手段の部品情報を携帯情報端末へ無線で送信可能とする。【選択図】図３
2016087510.tif 000002
【特許請求の範囲】
【請求項１】
本体に設けられ、空気を吸い込む吸気口と、
前記本体内に設けられ、前記吸気口から吸込んだ空気を浄化する交換可能に設けられた
浄化手段と、
前記本体内で前記浄化手段の下流に設けられ、空気を吸い込む吸引力を発生する電動送風機と、
少なくとも前記電動送風機を制御する制御手段と、
前記本体に設けられ、吸い込んだ空気を前記本体外へ吹き出す吹き出し口と、を備え、
前記浄化手段の部品情報は前記本体内に設けられた記憶手段に記憶されていて、前記制御手段は、前記本体内に設けられた情報送信手段により、少なくとも前記浄化手段の部品情報を携帯情報端末へ無線で送信可能とすることを特徴とする空気清浄機。
【請求項２】
前記電動送風機の通電時間を計測する計時手段と、
前記計時手段で計測した前記通電時間を積算する通電時間積算手段と、を備え、
該通電時間積算手段が積算した積算通電時間は前記記憶手段に記憶され、該記憶手段に記憶された前記積算通電時間があらかじめ設定された時間Ｔ１以上となったとき、前記制御手段は前記情報送信手段により、前記浄化手段が交換時期になった旨の情報を、前記携帯情報端末へ送信可能とすることを特徴とする請求項１に記載の空気清浄機。
【請求項３】
前記電動送風機の通電時間を計測する計時手段と、
前記計時手段で計測した前記通電時間を積算する通電時間積算手段と、を備え、
該通電時間積算手段が積算した積算通電時間は前記記憶手段に記憶され、該記憶手段に記憶された前記積算通電時間があらかじめ設定された時間Ｔ１よりもＴｘ時間だけ短い時間Ｔ２以上となったとき、前記制御手段は前記情報送信手段により、前記浄化手段が前記Ｔｘ時間以内に交換時期を迎える旨の情報を、前記携帯情報端末へ送信可能とすることを特徴とする請求項１に記載の空気清浄機。
【請求項４】
前記電動送風機の通電時間を計測する計時手段と、
前記計時手段で計測した前記通電時間を積算する通電時間積算手段と、を備え、
該通電時間積算手段が積算した積算通電時間は前記記憶手段に記憶され、
前記制御手段は、前記記憶手段に記憶された前記積算通電時間があらかじめ設定された時間Ｔ１よりもＴｘ時間だけ短い時間Ｔ２以上となったとき、前記浄化手段が前記Ｔｘ時間以内に交換時期を迎える旨の情報を、前記情報送信手段により前記携帯情報端末へ無線で送信し、前記記憶手段に記憶された前記積算通電時間があらかじめ設定された時間Ｔ１以上となったとき、前記浄化手段が交換時期になった旨の情報を、前記情報送信手段により前記携帯情報端末へ送信可能とすることを特徴とする請求項１に記載の空気清浄機。
【請求項５】
前記浄化手段の下流に、該浄化手段を通過する風量を検知する風量センサーを備え、
該風量センサーが検知する風量が、あらかじめ設定された下限の風量Ｐ１以下となったとき、前記制御手段は前記情報送信手段により、前記浄化手段が交換時期になった旨の情報を、前記携帯情報端末へ送信可能とすることを特徴とする請求項１に記載の空気清浄機。
【請求項６】
前記浄化手段の下流に、該浄化手段を通過する風量を検知する風量センサーを備え、
該風量センサーが検知する風量が、あらかじめ設定された下限の風量Ｐ１よりも強い風量Ｐ２以下となった場合、前記制御手段は前記情報送信手段により、前記浄化手段の交換時期が近くなった旨の情報を、前記携帯情報端末へ送信可能とすることを特徴とする請求項１に記載の空気清浄機。
【請求項７】
前記浄化手段の下流に、該浄化手段を通過する風量を検知する風量センサーを備え、
前記制御手段は前記情報送信手段により、
前記風量センサーが検知する風量が、あらかじめ設定された下限の風量Ｐ１よりも強い風量Ｐ２以下となったとき、前記浄化手段の交換時期が近くなった旨の情報を、前記携帯情報端末へ無線で送信し、前記風量センサーが検知する風量が、あらかじめ設定された下限の風量Ｐ１以下となったとき、前記浄化手段が交換時期になった旨の情報を、前記携帯情報端末へ送信可能とすることを特徴とする請求項１に記載の空気清浄機。
【請求項８】
前記電動送風機の通電時間を計測する計時手段と、
前記計時手段で計測した前記通電時間を積算する通電時間積算手段と、
前記浄化手段の下流に、該浄化手段を通過する風量を検知する風量センサーと、を備え、
前記制御手段は前記情報送信手段により、
該通電時間積算手段が積算した積算通電時間は前記記憶手段に記憶され、前記積算通電時間があらかじめ設定された時間Ｔ１以上となったとき、あるいは前記風量センサーが検知する風量が、あらかじめ設定された下限の風量Ｐ１以下となったときは、前記浄化手段が交換時期になった旨の情報を、前記携帯情報端末へ送信可能とすることを特徴とする請求項１に記載の空気清浄機。
【請求項９】
前記積算通電時間があらかじめ設定された時間Ｔ１以上となる前に、前記風量センサーが検知する風量が、あらかじめ設定された下限の風量Ｐ１以下となったときは、前記浄化手段が交換時期になった旨の情報を、前記携帯情報端末へ送信可能とすることを特徴とする請求項８に記載の空気清浄機。
【請求項１０】
前記浄化手段の部品情報は、少なくとも前記浄化手段を識別可能な番号、又は記号、あるいはその両方の情報を含むことを特徴とする請求項１〜請求項９何れか１項に記載の空気清浄機。
【請求項１１】
前記制御手段は、動作異常を判断する機能を有し、
前記記憶手段に、動作異常の情報を含む運転履歴情報を記憶可能であり、
前記制御手段は、前記本体内に設けられた情報送信手段により、前記記憶手段に記憶された前記運転履歴情報を携帯情報端末へ無線で送信可能とすることを特徴とする請求項１〜請求項１０何れか１項に記載の空気清浄機。
【請求項１２】
室内の空気状況を検知する空気質検知手段を設け、
前記空気質検知手段は、臭いを検知する臭気センサー、あるいは空気中の塵埃量を検知するほこりセンサー、あるいは空気中の湿度を検知する湿度センサーの何れか、あるいはこれらセンサーの組合せ、あるいはこれら全てのセンサーを備え、
前記制御手段は、前記空気質検知手段が検知した結果を、前記携帯情報端末へ送信可能とすることを特徴とする請求項１〜請求項１１何れか１項に記載の空気清浄機。
【発明の詳細な説明】
【技術分野】
【０００１】
本発明は空気清浄機に関し、詳しくは交換部品の情報を外部に送信する空気清浄機に関する。
【背景技術】
【０００２】
空気清浄機は、室内の空気中に浮遊する塵埃、粉塵、菌類、ウイルス等を空気と一緒に吸引し、フィルターを用いてそれらを捕集して濾過しながら、きれいになった空気を再び室内に戻している。
【０００３】
フィルターは塵埃、粉塵、菌類、ウイルス等を捕集するので、長時間の使用により塵埃、粉塵等が堆積、蓄積して目詰まりを起こすため、定期的にお手入れ（掃除）をしたり交換をしたりする必要がある。
【０００４】
そこで従来、フィルターのお手入れ時期や交換時期、交換するフィルターの型番等の固有情報を、使用者に報知する空気清浄機が提案されている（特許文献１参照）。
【先行技術文献】
【特許文献】
【０００５】
【特許文献１】特開２００８−６７４号公報（第３頁、図１０）
【発明の概要】
【発明が解決しようとする課題】
【０００６】
特許文献１に記載の従来の空気清浄機は、室内の空気中に浮遊する塵埃、粉塵、菌類、ウイルス等を空気と一緒に吸引するための吸引風を発生させる送風ファンの運転時間に基づいてフィルターの汚れ具合を計算し、フィルターのお手入れ時期や交換時期になったら、フィルターのお手入れ時期や交換時期がきたこと、交換するフィルターの型番等の固有情報を使用者に音声で分り易く報知するようにしている。
【０００７】
しかしながら、従来の空気清浄機では、音声報知中に使用者が空気清浄機のそばにいない場合、その報知を聞き逃してしまい、その報知内容を再生する機能もないことから、使用者にフィルターのお手入れ時期や交換時期がきたことの情報が伝わらないという問題があった。
【０００８】
また、従来の空気清浄機では、交換するフィルターの型番等の固有情報を音声で報知しているときにメモを取るなどしないと忘れてしまい、結局、取扱説明書を参照しなければならなくなり、手間が掛かるという問題があった。
【０００９】
本発明は以上のような課題を解決するためになされたもので、フィルターのお手入れ時期や交換時期の情報、交換するフィルターの型番等の固有情報を、使用者が所持する携帯情報端末に送信し、使用者が聞き逃したりメモを取り忘れたりしても、携帯情報端末でそれらの情報を確認することができる、利便性が向上した使い勝手のよい空気清浄機を提供することを目的とする。
【課題を解決するための手段】
【００１０】
課題を解決する本発明に係る空気清浄機は、本体に設けられ、空気を吸い込む吸気口と、本体内に設けられ、吸気口から吸込んだ空気を浄化する交換可能に設けられた浄化手段と、本体内で浄化手段の下流に設けられ、空気を吸い込む吸引力を発生する電動送風機と、少なくとも電動送風機を制御する制御手段と、本体に設けられ、吸い込んだ空気を本体外へ吹き出す吹き出し口と、を備え、浄化手段の部品情報は本体内に設けられた記憶手段に記憶されていて、制御手段は、本体内に設けられた情報送信手段により、少なくとも浄化手段の部品情報を携帯情報端末へ無線で送信可能とするものである。
【発明の効果】
【００１１】
本発明に係る空気清浄機によれば、記憶手段に記憶した浄化手段の部品情報を、本体内に設けられた情報送信手段により、携帯情報端末へ無線で送信するようにしたので、空気清浄機能が低下し交換しなければならない浄化手段の型番を、取扱説明書を参照することなく、スマートフォンのような携帯情報端末から簡便に見ることができ、さらにそのまま携帯情報端末を、浄化手段を購入する店舗まで持っていって確認することができるので、使用者の利便性が向上する。
【図面の簡単な説明】
【００１２】
【図１】（ａ）本発明の実施の形態１に係る空気清浄機の本体上側から見た上面図、（ｂ）本発明の実施の形態１に係る空気清浄機の本体前側から見た正面図、（ｃ）本発明の実施の形態１に係る空気清浄機の本体右側から見た右側面図である。
【図２】図１（ｂ）に示す断面Ａ−Ａにおける本体右側から見た側方断面図である。
【図３】本発明の実施の形態１に係る空気清浄機の概略ブロック図である。
【図４】本発明の実施の形態１に係る空気清浄機のフローチャートである。
【図５】本発明の実施の形態２に係る空気清浄機のフローチャートである。
【図６】本発明の実施の形態３に係る空気清浄機のフローチャートである。
【図７】本発明の実施の形態４に係る空気清浄機のフローチャートである。
【図８】本発明の実施の形態５に係る空気清浄機のフローチャートである。
【図９】本発明の実施の形態６に係る空気清浄機のフローチャートである。
【図１０】本発明の実施の形態７に係る空気清浄機のフローチャートである。
【図１１】本発明の実施の形態１に係る空気清浄機のほこり量測定データの一例のグラフである。
【発明を実施するための形態】
【００１３】
実施の形態１
（構成）
図１（ａ）は本発明の実施の形態１に係る空気清浄機の本体上側から見た上面図、図１（ｂ）は本発明の実施の形態１に係る空気清浄機の本体前側から見た正面図、図１（ｃ）は本発明の実施の形態１に係る空気清浄機の本体右側から見た右側面図、図２は図１（ｂ）に示す断面Ａ−Ａにおける本体右側から見た側方断面図、図３は本発明の実施の形態１に係る空気清浄機の概略ブロック図である。
【００１４】
なお、それぞれの図において、同じ部分または相当する部分には同じ符号を付し、一部の説明を省略する。以下、図１〜図３により本発明の実施の形態１に係る空気清浄機の構成について説明する。
【００１５】
図１（ａ）〜（ｃ）に示すよう１００は空気清浄機であり、樹脂材料から形成された本体前側ケース１と、同様に樹脂材料から形成された本体後側ケース２で構成されている。本体前側ケース１の上面１ａには、空気清浄機１００を移動するときに持ち運ぶためのハンドル９が設けられている。但し、ハンドル９は空気清浄機１００に必須の構成ではないため、設けられていなくてもよい。
【００１６】
本体前側ケース上面１ａ前方の操作し易い位置に、空気清浄機１００を動作させるための入力を行う複数の操作ボタン（図示せず）等からなる操作部３が設けられている。また、操作部３の横に、携帯情報端末近接部７が設けられている。
【００１７】
携帯情報端末近接部７は後述する情報送信手段１２から、例えばスマートフォンのような表示手段を有する携帯情報端末３１に情報を送信するときに携帯情報端末３１を近づける位置を表したものである。携帯情報端末近接部７については、携帯情報端末３１を近づける位置を明確にできればよいので、必ずしも本体前側ケース１上面１ａで操作部３の横に設ける必要はないが、見やすい位置に設けられることが望ましい。
【００１８】
なお、本発明の実施の形態では、情報送信手段１２は携帯情報端末３１を近接させて無線で情報を受信する近接場型無線通信を一例として説明するが、情報の伝達方式としては、前述の近接場型無線通信の他にも、近接場型無線通信ほど近接させなくても、ある程度近い距離であれば無線で情報の送受信ができる近距離無線通信、あるいは近距離無線通信よりもさらに距離が離れても無線で情報の送受信ができる無線ＬＡＮなどがある。
【００１９】
本発明の実施の形態では、近接場型無線通信を一例として説明するが、これに限定されるものではなく、これら通信手段の何れの方式についても採用可能であり、複数の通信手段を採用することも可能であることを述べておく。
【００２０】
空気清浄機１００の前側には、着脱あるいは開閉自在の前側カバー４が設けられている。この前側カバー４は、図２に示す空気の浄化手段である、着脱自在に設けられた集塵フィルター１０（浄化手段）及び脱臭フィルター（浄化手段）１１を交換するときに着脱あるいは開閉する。前側カバー４は、複数の桟のようになっている空気を吸い込む吸込口５が設けられている。
【００２１】
空気清浄機１００の右側側面下方には、室内空気に含まれる臭気成分を検出する臭気センサー８、室内空気に含まれるほこりを検出するほこりセンサー２２、室内空気の湿度を検出する湿度センサー２３が設けられている。これらセンサーの配置は空気清浄機１００の下方に限定されるものではないが、臭気やほこりは普通の空気よりも重いため、床に近いところで検出しやすいので空気清浄機１００の下方に設けることが望ましい。
【００２２】
図２に示すように、本体前側ケース１内に空気の浄化手段である、集塵フィルター１０（浄化手段）及び脱臭フィルター（浄化手段）１１が設けられ、本体後側ケース２に、前側カバー４の吸込口５から室内空気を吸込み排出するための、ファン１３ｂとファン１３ｂを駆動するためのファンモーター１３ａからなる電動送風機１３が設けられている。
【００２３】
さらに本体後側ケース２の下方には、操作部３から入力された操作内容に従い、所定のプログラムに基づいて電動送風機１３の駆動を含む空気清浄機１００の動作を制御するための、制御基板からなる制御部１４が設けられている。
【００２４】
ここで図２に示す空気の流れＷ（以下、空気の流れＷを通風路という）により空気清浄の工程を説明すると、操作部３から入力された操作内容に従い、所定のプログラムに基づいて空気清浄機１００の動作を制御するための制御手段１５（図３参照）が電動送風機１３の駆動を開始させる。
【００２５】
電動送風機１３の駆動により吸込口５から室内空気が吸込まれ、集塵フィルター１０（浄化手段）及び脱臭フィルター（浄化手段）１１により室内空気に含まれる塵埃等が捕集、除去され、臭気成分が吸着、除去される。
【００２６】
そして、集塵フィルター１０（浄化手段）及び脱臭フィルター（浄化手段）１１を通過して清浄された室内空気はファン１３ｂを経由し、本体後側ケース２の上面に設けられた
吹出口６より排出されて室内に戻され、これを繰り返すことで室内空気が清浄される。
【００２７】
吹出口６には、清浄された排出空気の風向を変更できる可動ルーバー６ａが設けられており、排出空気の吹き出しが一定の方向だけでなく変更することができる。可動ルーバー６は、図示しないモーターで駆動する自動でルーバーを可動できるタイプが望ましいが、手動で可動させるタイプでもよい。
【００２８】
集塵フィルター１０（浄化手段）及び脱臭フィルター（浄化手段）１１の空気の流れの下流には風量センサー２１が設けられている。集塵フィルター１０（浄化手段）により室内空気中の塵埃等が捕集、除去されると、集塵フィルター１０（浄化手段）に塵埃等が残るため、空気がフィルターの目を通りにくくなってくることから集塵フィルター１０（浄化手段）及び脱臭フィルター（浄化手段）１１を通過する空気の風量が低下する。風量センサー２１はその低下した風量を検知するものである。
【００２９】
本体前側ケース１内上方で、携帯情報端末近接部７の下方には、前述のように近接場型無線通信で情報を送信する情報送信手段１２が設けられている。
なお、本発明の実施の形態では図示等していないが、空気清浄機１００は、湿機能を備えていてもよく、空気清浄と併せて除湿を行うことができる除湿機能付き空気清浄機として構成されていてもよい。
【００３０】
（電気的な構成）
図３に示すように制御部１４には制御手段１５、記憶手段１６、通電時間計時手段１７、通電時間積算手段１８が含まれている。制御部１４は、詳しくは制御基板に実装された電子部品で構成されている。制御手段１５には図示しないマイコンも含まれ、電動送風機１３の駆動を含む空気清浄機１００の動作を制御したり、風量センサー２１、臭気センサー８、ほこりセンサー２２、湿度センサー２３等、各種センサーの検出した結果から動作状況を判断したりするものである。
【００３１】
記憶手段１６は、あらかじめ記憶している情報を保持している他に、動作状況から得られる情報を後から記憶、保持する機能を有している。この記憶手段１６に記憶した情報は、制御手段１５により情報送信手段１２を介して携帯情報端末３１に送信可能な情報である。
【００３２】
なお、ここでは１つの記憶手段１６に、あらかじめ記憶している情報の保持の機能と、動作状況から得られる情報を後から記憶、保持する機能の２つの機能を持たせているが、記憶手段をそれぞれ個別に用意してもよい。
【００３３】
あらかじめ記憶している情報について説明すると、一例として空気清浄機１００の性能を維持するため、交換が必要となる部品である集塵フィルター１０（浄化手段）及び脱臭フィルター（浄化手段）１１の部品情報、例えば部品の型番、あるいはサービス部品専用に設定されているサービス部品コード、あるいはそのサービス部品の特定が可能な、サービス部品のパッケージに記載されている、例えば星印のような記号等を記憶している。それから付随する情報として、部品の価格、サービスセンターの電話番号等の情報を記憶しておいてもよい。
【００３４】
また、他の例として、前述の各種センサーの検出結果と比較して動作状況を判断したりするための、あらかじめ設定された数値やテーブル等を記憶している。
【００３５】
これらの情報は、前述のように制御手段１５により情報送信手段１２を介して携帯情報端末３１に送信可能であるので、使用者が取扱説明書を参照する手間を省き、容易に集塵フィルター１０（浄化手段）及び脱臭フィルター（浄化手段）１１の部品情報を携帯情報端末３１で確認できることから、使用者の利便性が向上するものである。
【００３６】
次に動作状況から得られる情報を後から記憶、保持する機能について説明すると、例えば前述の風量センサー２１、臭気センサー８、ほこりセンサー２２、湿度センサー２３等、各種センサーの検出した結果をそのまま情報として記憶する、あるいは種センサーの検出した結果を、あらかじめ記憶しているあらかじめ設定された数値やテーブルと比較した結果を情報として記憶するということである。
【００３７】
これら後から記憶した情報も、制御手段１５により情報送信手段１２を介して携帯情報端末３１に送信可能である。一例として、ほこりセンサー２２による検出結果を記憶手段１６に記憶して、その検出結果を携帯情報端末３１に送信し、その検出結果のデータを利用して、携帯情報端末３１にあらかじめ導入されているアプリケーションソフトにより、図１１に示すような、経過時間とほこりの量の変化をグラフ化して表示することが可能となる。
【００３８】
経過時間は、通電時間計時手段１７で計時できる。通電時間計時手段１７は本発明の実施の形態では電動送風機１３の通電時間を計時するものであるが、空気清浄機１００の動作中は、基本的に電動送風機１３が駆動しているので、電動送風機１３の通電時間が、空気清浄機１００の動作の経過時間と等しい。このような情報を送信し、経過時間とほこりの量の変化をグラフ化して表示することで、使用者は空気が清浄化していることを、よりイメージしやすくなる。
【００３９】
図１１に示す一例は、例えば部屋で掃除機を使って掃除しているときに空気清浄機１００を動作させた場合の例である。部屋で掃除機を使って掃除すると、床のほこりを吸塵する半面、掃除機の排気で床のほこりを空中に舞い上げてしまうことがあり、そのときに空気清浄機１００を動作させて、時間の経過とともに空気清浄していることが表されている。
【００４０】
この例では、ほこりの量を５段階で表していて、０はほこりがほぼない状態、言い換えるとほこりセンサー２２がほこりを検知できないレベルであるが、一般的な生活状況ではあり得ない状態であり、通常の生活では１が空気清浄の行われた、空気のきれいな状態としている。
【００４１】
掃除機を使い始めて、空中にほこりが舞い上がり始め、空気中のほこり量が増えていき４のレベルまで増えた後、空気清浄機１００の空気清浄により比較的短時間で１のレベルまでほこり量が軽減されていることが分かるので、このような情報により使用者は空気が清浄されていることをイメージしやすくなる。
【００４２】
同様に、臭気センサー８で部屋の臭気を検出して時間経過とともに臭気レベルが低下していうことを情報として送信すれば、使用者は空気が清浄されていることをイメージしやすくなる。
【００４３】
また、除湿機能を有する除湿機能付き空気清浄機で、湿度センサー２３を備えていれば、部屋の湿度を検出して時間経過とともに湿度レベルが低下していうことを情報として送信すれば、使用者は部屋が除湿されていることをイメージしやすくなる。
【００４４】
それから、動作状況から得られる情報として、動作中に異常状態となったときの情報がある。例えば、電動送風機１３は正常に動作していれば、電流あるいは電圧の出力はほぼ安定した一定の値である。
【００４５】
制御手段１５がこの電流あるいは電圧の値を監視することで、電流あるいは電圧の値が一定の値から逸脱すると、制御手段１５は電動送風機１３が異常となったことを判断することができる。この判断に基づき電動送風機１３が異常となったことを情報として記憶し、この情報を携帯情報端末３１に送信することで、使用者が電動送風機１３の異常に気付くことができ、修理の依頼が的確にできるようになる。
【００４６】
通電時間計時手段１７は前述のように電動送風機１３の通電時間を計時するものである。通電時間計時手段１７で計時した電動送風機１３の通電時間は、通電時間積算手段１８に送られ、通電時間積算手段１８は、あらたに通電時間が計時されたことを制御手段１５に通知すると、制御手段１５は通電時間積算手段１８に対し、記憶手段１６に記憶されている積算時間を読み出し、計時した時間を記憶手段１６に記憶された積算時間に積算して、新しい積算時間として記憶手段１６に記憶するよう指示し、新しい積算時間が記憶されるようになっている。
【００４７】
なお、積算時間とともに、１回毎の通電時間も記憶するようになっている。１回毎の通電時間は、次の通電のときに上書きされるか、あるいは数回分記憶してそれ以上となったら上書きするようにしておく。１回毎の通電時間は、前述のような経過時間とほこりの量の変化をグラフ化するようなときに必要となる。
【００４８】
前述ように、電動送風機１３等の部品の異常や、通電時間の積算時間のような、運転履歴情報も記憶手段１６に記憶し、制御手段１５により情報送信手段１２を介して携帯情報端末３１に送信可能となっている。
【００４９】
（動作）
次に、図４により本発明の実施の形態１に係る空気清浄機の動作を説明する。図４は、本発明の実施の形態１に係る空気清浄機のフローチャートである。
【００５０】
操作部３の図示しない電源スイッチをＯＮすると、制御手段１５により情報送信手段１２が送信可能な状態となる（Ｓ１）。この状態のときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。
【００５１】
この状況で送信可能な情報は、集塵フィルター１０（浄化手段）及び脱臭フィルター（浄化手段）１１の部品情報（前述の付随情報を含んでもよい）、各種センサーの検出情報、電動送風機１３の通電時間の積算時間や動作異常情報といった運転履歴情報である。
【００５２】
次に、操作部３の図示しない操作スイッチを入力すると、制御手段１５が電動送風機１３の駆動を開始する（Ｓ２）。電動送風機１３が駆動を開始すると、通電時間計時手段１７が電動送風機１３の駆動時間の計時を開始する（Ｓ３）。
【００５３】
この後、一定の空気清浄工程が完了すると電動送風機１３の駆動が停止する（Ｓ４）。電動送風機１３の駆動が停止すると、通電時間計時手段１７が計時した通電時間が通電時間積算手段１８に送られ、通電時間積算手段１８は、あらたに通電時間が計時されたことを制御手段１５に通知すると、制御手段１５は通電時間積算手段１８に対し、記憶手段１６に記憶されている積算時間を読み出し、計時した時間を記憶手段１６に記憶された積算時間に積算して、新しい積算時間として記憶手段１６に記憶するよう指示し、新しい積算時間が記憶される（Ｓ５）。
【００５４】
この記憶された新しい積算時間をＴｓとする。制御手段１５は、Ｔｓとあらかじめ設定され、記憶手段１６に記憶されている一定の時間Ｔ１が比較される（Ｓ６）。Ｔ１とは、集塵フィルター１０（浄化手段）及び脱臭フィルター（浄化手段）１１の交換が必要になるまでの時間を、実機試験等から決定した時間であり、記憶手段１６にあらかじめ記憶されている。
【００５５】
Ｓ６で、Ｔ１≦Ｔｓとなった場合は、電動送風機１３の通電時間の積算時間が、集塵フィルター１０（浄化手段）及び脱臭フィルター（浄化手段）１１の交換が必要になる時間以上となったと判断しＳ７へ進み、制御手段１５は情報送信手段１２から、電動送風機１３の通電時間の積算時間と集塵フィルター１０（浄化手段）及び脱臭フィルター（浄化手段）１１が交換時期となった情報を送信可能な状態とする。
【００５６】
このときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。これにより使用者は集塵フィルター１０（浄化手段）及び脱臭フィルター（浄化手段）１１が交換時期となったことが確認できるので使い勝手がよくなる。
【００５７】
この後、制御手段１５は情報送信手段１２から、集塵フィルター１０（浄化手段）及び脱臭フィルター（浄化手段）１１の部品情報（前述の付随情報を含んでもよい）を送信可能な状態とする（Ｓ８）。携帯情報端末３１を携帯情報端末近接部７に近づけたままにしておくと、引き続き制御手段１５が記憶手段１６に記憶された情報を呼び出し、情報送信手段１２が携帯情報端末３１に集塵フィルター１０（浄化手段）及び脱臭フィルター（浄化手段）１１の部品情報を送信する。
【００５８】
その後、空気清浄機１００の電源がＯＦＦされる。電源は一定の時間経過後、自動でＯＦＦされるが、電源がＯＦＦされるまでに携帯情報端末３１で情報が受信できなかったとしても、Ｓ１で説明したように再び電源をＯＮすれば、制御手段１５により情報送信手段１２が送信可能な状態となるので、あらためて携帯情報端末３１で情報が受信できるようになり、使用者の使い勝手がよい。
【００５９】
なお、本発明の実施の形態では、続けて情報を送信するようにしたが、Ｓ７とＳ８で送信される情報をまとめて送信してもよく、携帯情報端末３１の表示手段（図示せず）に合わせて、情報の送信の仕方は選択可能である。
【００６０】
Ｓ６で、Ｔ１≦Ｔｓとなっていない場合は、制御手段１５は情報送信手段１２から、電動送風機１３の通電時間の積算時間を送信可能な状態とする（Ｓ９）。このときに、必要に応じて携帯情報端末３１を情報が受信可能な状態にして、情報送信手段１２に近接するように携帯情報端末近接部７に近づけると、制御手段１５が記憶手段１６に記憶された電動送風機１３の通電時間の積算時間情報を呼び出し、情報送信手段１２が携帯情報端末３１に情報を送信する。その後、空気清浄機１００の電源がＯＦＦされる。
【００６１】
以上のように、本発明の実施の形態１の空気清浄機は、記憶手段に記憶された浄化手段である集塵フィルター及び脱臭フィルターの部品情報（前述の付随情報を含んでもよい）、各種センサーの検出情報、電動送風機の通電時間の積算時間や動作異常情報といった運転履歴情報を、携帯情報端末に送信できるようにしたので、使用者が取扱説明書を参照することなく携帯情報端末で部品情報を確認できることから、例えば携帯情報端末を持って販売店へ行けば、その場で部品情報を見ることができるので使用者の利便性が向上する。
【００６２】
また、電動送風機の通電時間の積算時間から、浄化手段である集塵フィルター及び脱臭フィルターの交換時期を判断し、交換時期となったことと集塵フィルター及び脱臭フィルターの部品情報（前述の付随情報を含んでもよい）を携帯情報端末に送信できるようにしたので、使用者はこの情報により集塵フィルター及び脱臭フィルターが交換時期となったことを確認でき、使い勝手が向上する。
【００６３】
実施の形態２
（動作）
本発明の実施の形態２に係る空気清浄機は、本発明の実施の形態１に係る空気清浄機に対し、浄化手段である集塵フィルター及び脱臭フィルターが、があと数時間で交換時期を迎えることを情報として送信する動作の点で異なる。空気清浄機の構成は本発明の実施の形態１に係る空気清浄機と同様であるので、ここでの説明は省略する。以下、図５により本発明の実施の形態２に係る空気清浄機の動作を説明する。図５は、本発明の実施の形態２に係る空気清浄機のフローチャートである。
【００６４】
操作部３の図示しない電源スイッチをＯＮすると、制御手段１５により情報送信手段１２が送信可能な状態となる（Ｓ１１）。本発明の実施の形態１と同様、この状態のときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。この状況で送信可能な情報は、本発明の実施の形態１と同様であり、ここでは省略する。
【００６５】
次に、操作部３の図示しない操作スイッチを入力すると、制御手段１５が電動送風機１３の駆動を開始する（Ｓ１２）。電動送風機１３が駆動を開始すると、通電時間計時手段１７が電動送風機１３の駆動時間の計時を開始する（Ｓ１３）。
【００６６】
この後、一定の空気清浄工程が完了すると電動送風機１３の駆動が停止する（Ｓ１４）。電動送風機１３の駆動が停止すると、通電時間計時手段１７が計時した通電時間が通電時間積算手段１８に送られ、通電時間積算手段１８は、あらたに通電時間が計時されたことを制御手段１５に通知すると、制御手段１５は通電時間積算手段１８に対し、記憶手段１６に記憶されている積算時間を読み出し、計時した時間を記憶手段１６に記憶された積算時間に積算して、新しい積算時間として記憶手段１６に記憶するよう指示し、新しい積算時間が記憶される（Ｓ１５）。
【００６７】
この記憶された新しい積算時間をＴｓとする。制御手段１５は、Ｔｓとあらかじめ設定され、記憶手段１６に記憶されている一定の時間Ｔ１よりもＴｘ時間だけ短い時間Ｔ２が比較される（Ｓ１６）。
【００６８】
Ｔ１とは、集塵フィルター１０（浄化手段）及び脱臭フィルター（浄化手段）１１の交換が必要になるまでの時間を、実機試験等から決定した時間であり、記憶手段１６にあらかじめ記憶されている。Ｔ２は、例えば、Ｔｘ時間が１時間であればＴ１よりも１時間短い時間、Ｔｘ時間が１０時間であればＴ１よりも１０時間短い時間となる。
【００６９】
Ｓ１６で、Ｔ２≦Ｔｓとなった場合は、電動送風機１３の通電時間の積算時間が、集塵フィルター１０（浄化手段）及び脱臭フィルター（浄化手段）１１の交換が、あとＴｘ時間以内に必要となると判断しＳ１７へ進み、制御手段１５は情報送信手段１２から、電動送風機１３の通電時間の積算時間と集塵フィルター１０（浄化手段）及び脱臭フィルター（浄化手段）１１が、あとＴｘ時間以内に交換時期を迎えるとの情報を送信可能な状態とする。
【００７０】
このときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。これにより使用者は集塵フィルター１０（浄化手段）及び脱臭フィルター（浄化手段）１１があとＴｘ時間以内に交換時期を迎えることが確認できるので、交換時期が前もって把握でき、利便性がよい。
【００７１】
この後、制御手段１５は情報送信手段１２から、集塵フィルター１０（浄化手段）及び脱臭フィルター（浄化手段）１１の部品情報（前述の付随情報を含んでもよい）を送信可能な状態とする（Ｓ１８）。このとき、携帯情報端末３１を携帯情報端末近接部７に近づけたままにしておくと、引き続き制御手段１５が記憶手段１６に記憶された情報を呼び出し、情報送信手段１２が携帯情報端末３１に集塵フィルター１０（浄化手段）及び脱臭フィルター（浄化手段）１１の部品情報を送信する。
【００７２】
その後、空気清浄機１００の電源がＯＦＦされる。電源は一定の時間経過後、自動でＯＦＦされるが、電源がＯＦＦされるまでに携帯情報端末３１で情報が受信できなかったとしても、Ｓ１１で説明したように再び電源をＯＮすれば、制御手段１５により情報送信手段１２が送信可能な状態となるので、あらためて携帯情報端末３１で情報が受信できるようになり、使用者の使い勝手がよい。
【００７３】
なお、本発明の実施の形態では、続けて情報を送信するようにしたが、Ｓ１７とＳ１８で送信される情報をまとめて送信してもよく、携帯情報端末３１の表示手段（図示せず）に合わせて、情報の送信の仕方は選択可能である。
【００７４】
Ｓ１６で、Ｔ２≦Ｔｓとなっていない場合は、制御手段１５は情報送信手段１２から、電動送風機１３の通電時間の積算時間を送信可能な状態とする（Ｓ１９）。このときに、必要に応じて携帯情報端末３１を情報が受信可能な状態にして、情報送信手段１２に近接するように携帯情報端末近接部７に近づけると、制御手段１５が記憶手段１６に記憶された電動送風機１３の通電時間の積算時間情報を呼び出し、情報送信手段１２が携帯情報端末３１に情報を送信する。その後、空気清浄機１００の電源がＯＦＦされる。
【００７５】
以上のように、本発明の実施の形態２の空気清浄機は、電動送風機の通電時間の積算時間から、浄化手段である集塵フィルター及び脱臭フィルターが、あと少しで交換時期を迎える状態であることと集塵フィルター及び脱臭フィルターの部品情報（前述の付随情報を含んでもよい）を携帯情報端末に送信できるようにしたので、使用者はこの情報により、前もって集塵フィルター及び脱臭フィルターが交換時期を迎えることを把握でき、利便性が向上する。
【００７６】
実施の形態３
（動作）
本発明の実施の形態３に係る空気清浄機は、本発明の実施の形態１及び２に係る空気清浄機を合わせたものである。空気清浄機の構成は本発明の実施の形態１及び２に係る空気清浄機と同様であるので、ここでの説明は省略する。以下、図６により本発明の実施の形態３に係る空気清浄機の動作を説明する。図６は、本発明の実施の形態３に係る空気清浄機のフローチャートである。
【００７７】
操作部３の図示しない電源スイッチをＯＮすると、制御手段１５により情報送信手段１２が送信可能な状態となる（Ｓ３１）。本発明の実施の形態１及び２と同様、この状態のときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。この状況で送信可能な情報は、本発明の実施の形態１及び２と同様であり、ここでは省略する。
【００７８】
次に、操作部３の図示しない操作スイッチを入力すると、制御手段１５が電動送風機１３の駆動を開始する（Ｓ３２）。電動送風機１３が駆動を開始すると、通電時間計時手段１７が電動送風機１３の駆動時間の計時を開始する（Ｓ３３）。
【００７９】
この後、一定の空気清浄工程が完了すると電動送風機１３の駆動が停止する（Ｓ３４）。電動送風機１３の駆動が停止すると、通電時間計時手段１７が計時した通電時間が通電時間積算手段１８に送られ、通電時間積算手段１８は、あらたに通電時間が計時されたことを制御手段１５に通知すると、制御手段１５は通電時間積算手段１８に対し、記憶手段１６に記憶されている積算時間を読み出し、計時した時間を記憶手段１６に記憶された積算時間に積算して、新しい積算時間として記憶手段１６に記憶するよう指示し、新しい積算時間が記憶される（Ｓ３５）。
【００８０】
この記憶された新しい積算時間をＴｓとする。制御手段１５は、Ｔｓとあらかじめ設定され、記憶手段１６に記憶されている一定の時間Ｔ１よりもＴｘ時間だけ短い時間Ｔ２が比較される（Ｓ３６）。
【００８１】
Ｔ１とは、集塵フィルター１０（浄化手段）及び脱臭フィルター（浄化手段）１１の交換が必要になるまでの時間を、実機試験等から決定した時間であり、記憶手段１６にあらかじめ記憶されている。Ｔ２は、例えば、Ｔｘ時間が１時間であればＴ１よりも１時間短い時間、Ｔｘ時間が１０時間であればＴ１よりも１０時間短い時間となる。
【００８２】
Ｓ３６で、Ｔ２≦Ｔｓとなった場合は、電動送風機１３の通電時間の積算時間が、集塵フィルター１０（浄化手段）及び脱臭フィルター（浄化手段）１１の交換が、あとＴｘ時間以内に必要となると判断しＳ３７へ進み、制御手段１５は情報送信手段１２から、電動送風機１３の通電時間の積算時間と集塵フィルター１０（浄化手段）及び脱臭フィルター（浄化手段）１１が、あとＴｘ時間以内に交換時期を迎えるとの情報を送信可能な状態とする。
【００８３】
次にＳ３８で、Ｔ１≦Ｔｓとなった場合は、電動送風機１３の通電時間の積算時間が、集塵フィルター１０（浄化手段）及び脱臭フィルター（浄化手段）１１の交換が必要になる時間以上となったと判断しＳ３９へ進み、制御手段１５は情報送信手段１２から、電動送風機１３の通電時間の積算時間と集塵フィルター１０（浄化手段）及び脱臭フィルター（浄化手段）１１が交換時期となった情報を送信可能な状態とする。
【００８４】
このときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。これにより使用者は集塵フィルター１０（浄化手段）及び脱臭フィルター（浄化手段）１１が交換時期となったことが確認できるので使い勝手がよくなる。
【００８５】
この後、制御手段１５は情報送信手段１２から、集塵フィルター１０（浄化手段）及び脱臭フィルター（浄化手段）１１の部品情報（前述の付随情報を含んでもよい）を送信可能な状態とする（Ｓ４０）。携帯情報端末３１を携帯情報端末近接部７に近づけたままにしておくと、引き続き制御手段１５が記憶手段１６に記憶された情報を呼び出し、情報送信手段１２が携帯情報端末３１に集塵フィルター１０（浄化手段）及び脱臭フィルター（浄化手段）１１の部品情報を送信する。
【００８６】
その後、空気清浄機１００の電源がＯＦＦされる。電源は一定の時間経過後、自動でＯＦＦされるが、電源がＯＦＦされるまでに携帯情報端末３１で情報が受信できなかったとしても、Ｓ１で説明したように再び電源をＯＮすれば、制御手段１５により情報送信手段１２が送信可能な状態となるので、あらためて携帯情報端末３１で情報が受信できるようになり、使用者の使い勝手がよい。
【００８７】
Ｓ３６で、Ｔ２≦Ｔｓとなっていない場合は、制御手段１５は情報送信手段１２から、電動送風機１３の通電時間の積算時間を送信可能な状態とする（Ｓ４１）。このときに、必要に応じて携帯情報端末３１を情報が受信可能な状態にして、情報送信手段１２に近接するように携帯情報端末近接部７に近づけると、制御手段１５が記憶手段１６に記憶された電動送風機１３の通電時間の積算時間情報を呼び出し、情報送信手段１２が携帯情報端末３１に情報を送信する。その後、空気清浄機１００の電源がＯＦＦされる。
【００８８】
Ｓ３８で、Ｔ１≦Ｔｓとなっていない場合は、制御手段１５は情報送信手段１２から、電動送風機１３の通電時間の積算時間と集塵フィルター１０（浄化手段）及び脱臭フィルター（浄化手段）１１が交換時期となった情報を送信可能な状態とせずＳ４０へ進み、情報送信手段１２から、集塵フィルター１０（浄化手段）及び脱臭フィルター（浄化手段）１１の部品情報（前述の付随情報を含んでもよい）を送信可能な状態とする。
【００８９】
このときに、携帯情報端末３１を情報が受信可能な状態にして、情報送信手段１２に近接するように携帯情報端末近接部７に近づけると、制御手段１５が記憶手段１６に記憶された、電動送風機１３の通電時間の積算時間と集塵フィルター１０（浄化手段）及び脱臭フィルター（浄化手段）１１が、あとＴｘ時間以内に交換時期を迎えるとの情報を携帯情報端末３１に送信する。
【００９０】
携帯情報端末３１を携帯情報端末近接部７に近づけたままにしておくと、引き続き制御手段１５が記憶手段１６に記憶された情報を呼び出し、情報送信手段１２が携帯情報端末３１に集塵フィルター１０（浄化手段）及び脱臭フィルター（浄化手段）１１の部品情報を送信し、その後、空気清浄機１００の電源がＯＦＦされる。
【００９１】
電源は一定の時間経過後、自動でＯＦＦされるが、電源がＯＦＦされるまでに携帯情報端末３１で情報が受信できなかったとしても、Ｓ３１で説明したように再び電源をＯＮすれば、制御手段１５により情報送信手段１２が送信可能な状態となるので、あらためて携帯情報端末３１で情報が受信できるようになり、使用者の使い勝手がよい。
【００９２】
以上のように、本発明の実施の形態３の空気清浄機は、電動送風機の通電時間の積算時間から、浄化手段である集塵フィルター及び脱臭フィルターが、あと少しで交換時期を迎える状態であることと集塵フィルター及び脱臭フィルターの部品情報（前述の付随情報を含んでもよい）を携帯情報端末に送信できるようにしたので、使用者はこの情報により、前もって集塵フィルター及び脱臭フィルターが交換時期を迎えることを把握でき、利便性が向上する。
【００９３】
また、電動送風機の通電時間の積算時間から、浄化手段である集塵フィルター及び脱臭フィルターの交換時期を判断し、交換時期となったことを携帯情報端末に送信できるようにしたので、使用者はこの情報により集塵フィルター及び脱臭フィルターが交換時期となったことを確認でき、使い勝手が向上する。
【００９４】
実施の形態４
（動作）
本発明の実施の形態４に係る空気清浄機は、本発明の実施の形態１に係る空気清浄機に対し、浄化手段である集塵フィルター及び脱臭フィルターを通過する風量により、浄化手段である集塵フィルター及び脱臭フィルターが交換時期を迎えたことを情報として送信する動作の点で異なる。空気清浄機の構成は本発明の実施の形態１〜３に係る空気清浄機と同様であるので、ここでの説明は省略する。以下、図７により本発明の実施の形態４に係る空気清浄機の動作を説明する。図７は、本発明の実施の形態４に係る空気清浄機のフローチャートである。
【００９５】
操作部３の図示しない電源スイッチをＯＮすると、制御手段１５により情報送信手段１２が送信可能な状態となる（Ｓ５１）。この状態のときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。この状況で送信可能な情報は、本発明の実施の形態１と同様であり、ここでは省略する。
【００９６】
次に、操作部３の図示しない操作スイッチを入力すると、制御手段１５が電動送風機１３の駆動を開始する（Ｓ５２）。電動送風機１３が駆動を開始すると、風量センサー２１が集塵フィルター１０（浄化手段）及び脱臭フィルター（浄化手段）１１を通過する室内空気の風量計測を開始する（Ｓ５３）。
【００９７】
Ｓ５３で計測を開始した風量は、計測した風量Ｐｋとして、制御手段１５が記憶手段１６に記憶するよう指示して記憶され、Ｐｋと、あらかじめ設定され記憶手段１６に記憶されている所定の風量Ｐ１が比較される（Ｓ５４）。
【００９８】
Ｐ１とは、集塵フィルター１０（浄化手段）及び脱臭フィルター（浄化手段）１１の交換が必要になる程度まで低下した風量で、空気清浄機１００が空気清浄を繰り返すと、その都度、集塵フィルター１０（浄化手段）及び脱臭フィルター（浄化手段）１１は塵埃を捕集するので、その塵埃により集塵フィルター１０（浄化手段）及び脱臭フィルター（浄化手段）１１が目詰まりを起こす。
【００９９】
その目詰まりの程度から集塵フィルター１０（浄化手段）及び脱臭フィルター（浄化手段）１１の交換が必要になる程度まで低下した風量、言い換えると下限の風量を実機試験等から決定した風量であり、記憶手段１６にあらかじめ記憶されている。
【０１００】
Ｓ５４で、Ｐ１≧Ｐｋとなった場合は、集塵フィルター１０（浄化手段）及び脱臭フィルター（浄化手段）１１を通過する室内空気の風量が、集塵フィルター１０（浄化手段）及び脱臭フィルター（浄化手段）１１の交換が必要になる風量以下となったと判断しＳ５５へ進み、制御手段１５は情報送信手段１２から、集塵フィルター１０（浄化手段）及び脱臭フィルター（浄化手段）１１が交換時期となった情報を送信可能な状態とする。
【０１０１】
このときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。これにより使用者は集塵フィルター１０（浄化手段）及び脱臭フィルター（浄化手段）１１が交換時期となったことが確認できるので使い勝手がよくなる。
【０１０２】
この後、制御手段１５は情報送信手段１２から、集塵フィルター１０（浄化手段）及び脱臭フィルター（浄化手段）１１の部品情報（前述の付随情報を含んでもよい）を送信可能な状態とする（Ｓ５６）。携帯情報端末３１を携帯情報端末近接部７に近づけたままにしておくと、引き続き制御手段１５が記憶手段１６に記憶された情報を呼び出し、情報送信手段１２が携帯情報端末３１に集塵フィルター１０（浄化手段）及び脱臭フィルター（浄化手段）１１の部品情報を送信する。
【０１０３】
その後、空気清浄機１００の電源がＯＦＦされる。電源は一定の時間経過後、自動でＯＦＦされるが、電源がＯＦＦされるまでに携帯情報端末３１で情報が受信できなかったとしても、Ｓ１で説明したように再び電源をＯＮすれば、制御手段１５により情報送信手段１２が送信可能な状態となるので、あらためて携帯情報端末３１で情報が受信できるようになり、使用者の使い勝手がよい。
【０１０４】
Ｓ５４で、Ｐ１≧Ｐｋとなっていない場合は、一定の空気清浄工程が完了すると電動送風機１３の駆動が停止し、空気清浄機１００の電源がＯＦＦされる。
【０１０５】
以上のように、本発明の実施の形態４の空気清浄機は、集塵フィルター及び脱臭フィルターを通過する室内空気の風量の低下から、浄化手段である集塵フィルター及び脱臭フィルターの交換時期を判断し、交換時期となったことと集塵フィルター及び脱臭フィルターの部品情報（前述の付随情報を含んでもよい）を携帯情報端末に送信できるようにしたので、使用者はこの情報により集塵フィルター及び脱臭フィルターが交換時期となったことを確認でき、使い勝手が向上する。
【０１０６】
実施の形態５
（動作）
本発明の実施の形態５に係る空気清浄機は、本発明の実施の形態４に係る空気清浄機に対し、浄化手段である集塵フィルター及び脱臭フィルターを通過する風量により、浄化手段である集塵フィルター及び脱臭フィルターの交換時期が近くなったことを情報として送信する動作の点で異なる。空気清浄機の構成は本発明の実施の形態１〜４に係る空気清浄機と同様であるので、ここでの説明は省略する。以下、図８により本発明の実施の形態５に係る空気清浄機の動作を説明する。図８は、本発明の実施の形態５に係る空気清浄機のフローチャートである。
【０１０７】
操作部３の図示しない電源スイッチをＯＮすると、制御手段１５により情報送信手段１２が送信可能な状態となる（Ｓ６１）。この状態のときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。この状況で送信可能な情報は、本発明の実施の形態１と同様であり、ここでは省略する。
【０１０８】
次に、操作部３の図示しない操作スイッチを入力すると、制御手段１５が電動送風機１３の駆動を開始する（Ｓ６２）。電動送風機１３が駆動を開始すると、風量センサー２１が集塵フィルター１０（浄化手段）及び脱臭フィルター（浄化手段）１１を通過する室内空気の風量計測を開始する（Ｓ６３）。
【０１０９】
Ｓ６３で計測を開始した風量は、計測した風量Ｐｋとして、制御手段１５が記憶手段１６に記憶するよう指示して記憶され、Ｐｋと、あらかじめ設定され記憶手段１６に記憶されている所定の風量Ｐ１よりも少し強い風量Ｐ２が比較される（Ｓ６４）。
【０１１０】
Ｐ１とは、集塵フィルター１０（浄化手段）及び脱臭フィルター（浄化手段）１１の交換が必要になる程度まで低下した風量で、空気清浄機１００が空気清浄を繰り返すと、その都度、集塵フィルター１０（浄化手段）及び脱臭フィルター（浄化手段）１１は塵埃を捕集するので、その塵埃により集塵フィルター１０（浄化手段）及び脱臭フィルター（浄化手段）１１が目詰まりを起こす。
【０１１１】
その目詰まりの程度から集塵フィルター１０（浄化手段）及び脱臭フィルター（浄化手段）１１の交換が必要になる程度まで低下した風量、言い換えると下限の風量を実機試験等から決定した風量で、Ｐ２は、使い始めの時よりも弱く、下限の風量Ｐ１よりも少し強い風量であり、Ｐ１、Ｐ２ともに記憶手段１６にあらかじめ記憶されている。
【０１１２】
Ｓ６４で、Ｐ２≧Ｐｋとなった場合は、集塵フィルター１０（浄化手段）及び脱臭フィルター（浄化手段）１１を通過する室内空気の風量が、あと少しで集塵フィルター１０（浄化手段）及び脱臭フィルター（浄化手段）１１の交換が必要になる風量となると判断しＳ６５へ進み、制御手段１５は情報送信手段１２から、集塵フィルター１０（浄化手段）及び脱臭フィルター（浄化手段）１１の交換時期が近くなったとの情報を送信可能な状態とする。
【０１１３】
このときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。これにより使用者は集塵フィルター１０（浄化手段）及び脱臭フィルター（浄化手段）１１が近いうちに交換時期を迎えることが確認できるので、交換時期が前もって把握でき、利便性がよい。
【０１１４】
この後、制御手段１５は情報送信手段１２から、集塵フィルター１０（浄化手段）及び脱臭フィルター（浄化手段）１１の部品情報（前述の付随情報を含んでもよい）を送信可能な状態とする（Ｓ６６）。携帯情報端末３１を携帯情報端末近接部７に近づけたままにしておくと、引き続き制御手段１５が記憶手段１６に記憶された情報を呼び出し、情報送信手段１２が携帯情報端末３１に集塵フィルター１０（浄化手段）及び脱臭フィルター（浄化手段）１１の部品情報を送信する。
【０１１５】
その後、空気清浄機１００の電源がＯＦＦされる。電源は一定の時間経過後、自動でＯＦＦされるが、電源がＯＦＦされるまでに携帯情報端末３１で情報が受信できなかったとしても、Ｓ６１で説明したように再び電源をＯＮすれば、制御手段１５により情報送信手段１２が送信可能な状態となるので、あらためて携帯情報端末３１で情報が受信できるようになり、使用者の使い勝手がよい。
【０１１６】
Ｓ５４で、Ｐ２≧Ｐｋとなっていない場合は、一定の空気清浄工程が完了すると電動送風機１３の駆動が停止し、空気清浄機１００の電源がＯＦＦされる。
【０１１７】
以上のように、本発明の実施の形態５の空気清浄機は、集塵フィルター及び脱臭フィルターを通過する室内空気の風量の低下から、あと少しで交換時期を迎える状態であることと集塵フィルター及び脱臭フィルターの部品情報（前述の付随情報を含んでもよい）を携帯情報端末に送信できるようにしたので、使用者はこの情報により、前もって集塵フィルター及び脱臭フィルターが交換時期を迎えることを把握でき、利便性が向上する。
【０１１８】
実施の形態６
（動作）
本発明の実施の形態６に係る空気清浄機は、本発明の実施の形態４及び５に係る空気清浄機を合わせたものである。空気清浄機の構成は本発明の実施の形態１〜５に係る空気清浄機と同様であるので、ここでの説明は省略する。以下、図９により本発明の実施の形態６に係る空気清浄機の動作を説明する。図９は、本発明の実施の形態６に係る空気清浄機のフローチャートである。
【０１１９】
操作部３の図示しない電源スイッチをＯＮすると、制御手段１５により情報送信手段１２が送信可能な状態となる（Ｓ７１）。この状態のときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。この状況で送信可能な情報は、本発明の実施の形態１と同様であり、ここでは省略する。
【０１２０】
次に、操作部３の図示しない操作スイッチを入力すると、制御手段１５が電動送風機１３の駆動を開始する（Ｓ７２）。電動送風機１３が駆動を開始すると、風量センサー２１が集塵フィルター１０（浄化手段）及び脱臭フィルター（浄化手段）１１を通過する室内空気の風量計測を開始する（Ｓ７３）。
【０１２１】
Ｓ７３で計測を開始した風量は、計測した風量Ｐｋとして、制御手段１５が記憶手段１６に記憶するよう指示して記憶され、Ｐｋと、あらかじめ設定され記憶手段１６に記憶されている所定の風量Ｐ１よりも少し強い風量Ｐ２が比較される（Ｓ７４）。
【０１２２】
Ｐ１とは、集塵フィルター１０（浄化手段）及び脱臭フィルター（浄化手段）１１の交換が必要になる程度まで低下した風量で、空気清浄機１００が空気清浄を繰り返すと、その都度、集塵フィルター１０（浄化手段）及び脱臭フィルター（浄化手段）１１は塵埃を捕集するので、その塵埃により集塵フィルター１０（浄化手段）及び脱臭フィルター（浄化手段）１１が目詰まりを起こす。
【０１２３】
その目詰まりの程度から集塵フィルター１０（浄化手段）及び脱臭フィルター（浄化手段）１１の交換が必要になる程度まで低下した風量、言い換えると下限の風量を実機試験等から決定した風量で、Ｐ２は、使い始めの時よりも弱く、下限の風量Ｐ１よりも少し強い風量であり、Ｐ１、Ｐ２ともに記憶手段１６にあらかじめ記憶されている。
【０１２４】
Ｓ７４で、Ｐ２≧Ｐｋとなった場合は、集塵フィルター１０（浄化手段）及び脱臭フィルター（浄化手段）１１を通過する室内空気の風量が、あと少しで集塵フィルター１０（浄化手段）及び脱臭フィルター（浄化手段）１１の交換が必要になる風量となると判断しＳ７５へ進み、制御手段１５は情報送信手段１２から、集塵フィルター１０（浄化手段）及び脱臭フィルター（浄化手段）１１の交換時期が近くなったとの情報を送信可能な状態とする。
【０１２５】
次にＳ７６で、Ｐ１≧Ｐｋとなった場合は、集塵フィルター１０（浄化手段）及び脱臭フィルター（浄化手段）１１を通過する室内空気の風量が、集塵フィルター１０（浄化手段）及び脱臭フィルター（浄化手段）１１の交換が必要になる風量以下となったと判断しＳ７７へ進み、制御手段１５は情報送信手段１２から、集塵フィルター１０（浄化手段）及び脱臭フィルター（浄化手段）１１が交換時期となった情報を送信可能な状態とする。
【０１２６】
このときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。これにより使用者は集塵フィルター１０（浄化手段）及び脱臭フィルター（浄化手段）１１が交換時期となったことが確認できるので使い勝手がよくなる。
【０１２７】
この後、制御手段１５は情報送信手段１２から、集塵フィルター１０（浄化手段）及び脱臭フィルター（浄化手段）１１の部品情報（前述の付随情報を含んでもよい）を送信可能な状態とする（Ｓ７８）。携帯情報端末３１を携帯情報端末近接部７に近づけたままにしておくと、引き続き制御手段１５が記憶手段１６に記憶された情報を呼び出し、情報送信手段１２が携帯情報端末３１に集塵フィルター１０（浄化手段）及び脱臭フィルター（浄化手段）１１の部品情報を送信する。
【０１２８】
その後、空気清浄機１００の電源がＯＦＦされる。電源は一定の時間経過後、自動でＯＦＦされるが、電源がＯＦＦされるまでに携帯情報端末３１で情報が受信できなかったとしても、Ｓ７１で説明したように再び電源をＯＮすれば、制御手段１５により情報送信手段１２が送信可能な状態となるので、あらためて携帯情報端末３１で情報が受信できるようになり、使用者の使い勝手がよい。
【０１２９】
Ｓ７４で、Ｐ２≧Ｐｋとなっていない場合は、一定の空気清浄工程が完了すると電動送風機１３の駆動が停止し、空気清浄機１００の電源がＯＦＦされる。
【０１３０】
Ｓ７６で、Ｐ１≧Ｐｋとなっていない場合は、制御手段１５は情報送信手段１２から、集塵フィルター１０（浄化手段）及び脱臭フィルター（浄化手段）１１が交換時期となった情報を送信可能な状態とせずＳ７８へ進み、情報送信手段１２から、集塵フィルター１０（浄化手段）及び脱臭フィルター（浄化手段）１１の部品情報（前述の付随情報を含んでもよい）を送信可能な状態とする。
【０１３１】
このときに、携帯情報端末３１を情報が受信可能な状態にして、情報送信手段１２に近接するように携帯情報端末近接部７に近づけると、制御手段１５が記憶手段１６に記憶された、集塵フィルター１０（浄化手段）及び脱臭フィルター（浄化手段）１１の交換時期が近くなったとの情報を送信する。
【０１３２】
携帯情報端末３１を携帯情報端末近接部７に近づけたままにしておくと、引き続き制御手段１５が記憶手段１６に記憶された情報を呼び出し、情報送信手段１２が携帯情報端末３１に集塵フィルター１０（浄化手段）及び脱臭フィルター（浄化手段）１１の部品情報を送信し、その後、空気清浄機１００の電源がＯＦＦされる。
【０１３３】
電源は所定の時間経過後、自動でＯＦＦされるが、電源がＯＦＦされるまでに携帯情報端末３１で情報が受信できなかったとしても、Ｓ７１で説明したように再び電源をＯＮすれば、制御手段１５により情報送信手段１２が送信可能な状態となるので、あらためて携帯情報端末３１で情報が受信できるようになり、使用者の使い勝手がよい。
【０１３４】
以上のように、本発明の実施の形態６の空気清浄機は、集塵フィルター及び脱臭フィルターを通過する室内空気の風量の低下から、浄化手段である集塵フィルター及び脱臭フィルターが、あと少しで交換時期を迎える状態であることと集塵フィルター及び脱臭フィルターの部品情報（前述の付随情報を含んでもよい）を携帯情報端末に送信できるようにしたので、使用者はこの情報により、前もって集塵フィルター及び脱臭フィルターが交換時期を迎えることを把握でき、利便性が向上する。
【０１３５】
また、集塵フィルター及び脱臭フィルターを通過する室内空気の風量の低下から、浄化手段である集塵フィルター及び脱臭フィルターの交換時期を判断し、交換時期となったことを携帯情報端末に送信できるようにしたので、使用者はこの情報により集塵フィルター及び脱臭フィルターが交換時期となったことを確認でき、使い勝手が向上する。
【０１３６】
実施の形態７
（動作）
本発明の実施の形態７に係る空気清浄機は、本発明の実施の形態１及び４に係る空気清浄機を合わせたものである。空気清浄機の構成は本発明の実施の形態１〜６に係る空気清浄機と同様であるので、ここでの説明は省略する。以下、図１０により本発明の実施の形態６に係る空気清浄機の動作を説明する。図１０は、本発明の実施の形態７に係る空気清浄機のフローチャートである。
【０１３７】
操作部３の図示しない電源スイッチをＯＮすると、制御手段１５により情報送信手段１２が送信可能な状態となる（Ｓ８１）。この状態のときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。この状況で送信可能な情報は、本発明の実施の形態１と同様であり、ここでは省略する。
【０１３８】
次に、操作部３の図示しない操作スイッチを入力すると、制御手段１５が電動送風機１３の駆動を開始する（Ｓ８２）。電動送風機１３が駆動を開始すると、通電時間計時手段１７が電動送風機１３の駆動時間の計時を開始（Ｓ８３）し、風量センサー２１が集塵フィルター１０（浄化手段）及び脱臭フィルター（浄化手段）１１を通過する室内空気の風量計測を開始する（Ｓ８４）。
【０１３９】
Ｓ８４で計測を開始した風量は、計測した風量Ｐｋとして、制御手段１５が記憶手段１６に記憶するよう指示して記憶され、Ｐｋと、あらかじめ設定され記憶手段１６に記憶されている所定の風量Ｐ１が比較される（Ｓ８５）。
【０１４０】
Ｐ１とは、集塵フィルター１０（浄化手段）及び脱臭フィルター（浄化手段）１１の交換が必要になる程度まで低下した風量で、空気清浄機１００が空気清浄を繰り返すと、その都度、集塵フィルター１０（浄化手段）及び脱臭フィルター（浄化手段）１１は塵埃を捕集するので、その塵埃により集塵フィルター１０（浄化手段）及び脱臭フィルター（浄化手段）１１が目詰まりを起こす。
【０１４１】
その目詰まりの程度から集塵フィルター１０（浄化手段）及び脱臭フィルター（浄化手段）１１の交換が必要になる程度まで低下した風量、言い換えると下限の風量を実機試験等から決定した風量であり、記憶手段１６にあらかじめ記憶されている。
【０１４２】
Ｓ８５で、Ｐ１≧Ｐｋとなった場合は、集塵フィルター１０（浄化手段）及び脱臭フィルター（浄化手段）１１を通過する室内空気の風量が、集塵フィルター１０（浄化手段）及び脱臭フィルター（浄化手段）１１の交換が必要になる風量以下となったと判断しＳ８９へ進み、制御手段１５は情報送信手段１２から、集塵フィルター１０（浄化手段）及び脱臭フィルター（浄化手段）１１が交換時期となった情報を送信可能な状態とする。
【０１４３】
このときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。これにより使用者は集塵フィルター１０（浄化手段）及び脱臭フィルター（浄化手段）１１が交換時期となったことが確認できるので使い勝手がよくなる。
【０１４４】
この後、制御手段１５は情報送信手段１２から、集塵フィルター１０（浄化手段）及び脱臭フィルター（浄化手段）１１の部品情報（前述の付随情報を含んでもよい）を送信可能な状態とする（Ｓ９０）。携帯情報端末３１を携帯情報端末近接部７に近づけたままにしておくと、引き続き制御手段１５が記憶手段１６に記憶された情報を呼び出し、情報送信手段１２が携帯情報端末３１に集塵フィルター１０（浄化手段）及び脱臭フィルター（浄化手段）１１の部品情報を送信する。
【０１４５】
その後、空気清浄機１００の電源がＯＦＦされる。電源は一定の時間経過後、自動でＯＦＦされるが、電源がＯＦＦされるまでに携帯情報端末３１で情報が受信できなかったとしても、Ｓ８１で説明したように再び電源をＯＮすれば、制御手段１５により情報送信手段１２が送信可能な状態となるので、あらためて携帯情報端末３１で情報が受信できるようになり、使用者の使い勝手がよい。
【０１４６】
Ｓ８５で、Ｐ１≧Ｐｋとなっていない場合は、Ｓ８６へ進み、一定の空気清浄工程が完了すると電動送風機１３の駆動が停止する。電動送風機１３の駆動が停止すると、通電時間計時手段１７が計時した通電時間が通電時間積算手段１８に送られ、通電時間積算手段１８は、あらたに通電時間が計時されたことを制御手段１５に通知すると、制御手段１５は通電時間積算手段１８に対し、記憶手段１６に記憶されている積算時間を読み出し、計時した時間を記憶手段１６に記憶された積算時間に積算して、新しい積算時間として記憶手段１６に記憶するよう指示し、新しい積算時間が記憶される（Ｓ８７）。
【０１４７】
この記憶された新しい積算時間をＴｓとする。制御手段１５は、Ｔｓとあらかじめ設定され、記憶手段１６に記憶されている一定の時間Ｔ１が比較される（Ｓ６）。Ｔ１とは、集塵フィルター１０（浄化手段）及び脱臭フィルター（浄化手段）１１の交換が必要になるまでの時間を、実機試験等から決定した時間であり、記憶手段１６にあらかじめ記憶されている。
【０１４８】
Ｓ８８で、Ｔ１≦Ｔｓとなった場合は、電動送風機１３の通電時間の積算時間が、集塵フィルター１０（浄化手段）及び脱臭フィルター（浄化手段）１１の交換が必要になる時間以上となったと判断しＳ８９へ進み、制御手段１５は情報送信手段１２から、電動送風機１３の通電時間の積算時間と集塵フィルター１０（浄化手段）及び脱臭フィルター（浄化手段）１１が交換時期となった情報を送信可能な状態とする。
【０１４９】
このときに、携帯情報端末３１を情報が受信可能な状態にして、情報送信手段１２に近接するように携帯情報端末近接部７に近づけると、制御手段１５が記憶手段１６に記憶された情報を呼び出し、情報送信手段１２が携帯情報端末３１に情報を送信する。これにより使用者は集塵フィルター１０（浄化手段）及び脱臭フィルター（浄化手段）１１が交換時期となったことが確認できるので使い勝手がよくなる。
【０１５０】
この後、制御手段１５は情報送信手段１２から、集塵フィルター１０（浄化手段）及び脱臭フィルター（浄化手段）１１の部品情報（前述の付随情報を含んでもよい）を送信可能な状態とする（Ｓ９０）。携帯情報端末３１を携帯情報端末近接部７に近づけたままにしておくと、引き続き制御手段１５が記憶手段１６に記憶された情報を呼び出し、情報送信手段１２が携帯情報端末３１に集塵フィルター１０（浄化手段）及び脱臭フィルター（浄化手段）１１の部品情報を送信する。
【０１５１】
その後、空気清浄機１００の電源がＯＦＦされる。電源は一定の時間経過後、自動でＯＦＦされるが、電源がＯＦＦされるまでに携帯情報端末３１で情報が受信できなかったとしても、Ｓ８１で説明したように再び電源をＯＮすれば、制御手段１５により情報送信手段１２が送信可能な状態となるので、あらためて携帯情報端末３１で情報が受信できるようになり、使用者の使い勝手がよい。
【０１５２】
Ｓ８８で、Ｔ１≦Ｔｓとなっていない場合は、制御手段１５は情報送信手段１２から、電動送風機１３の通電時間の積算時間を送信可能な状態とする（Ｓ９１）。このときに、必要に応じて携帯情報端末３１を情報が受信可能な状態にして、情報送信手段１２に近接するように携帯情報端末近接部７に近づけると、制御手段１５が記憶手段１６に記憶された電動送風機１３の通電時間の積算時間情報を呼び出し、情報送信手段１２が携帯情報端末３１に情報を送信する。その後、空気清浄機１００の電源がＯＦＦされる。
【０１５３】
以上のように、本発明の実施の形態７の空気清浄機は、本発明の実施の形態４の空気清浄機は、集塵フィルター及び脱臭フィルターを通過する室内空気の風量の低下と、電動送風機の通電時間の積算時間の何れかから、浄化手段である集塵フィルター及び脱臭フィルターの交換時期を判断し、交換時期となったことと集塵フィルター及び脱臭フィルターの部品情報（前述の付随情報を含んでもよい）を携帯情報端末に送信できるようにしたので、電動送風機の通電時間の積算時間が一定の時間となる前に集塵フィルター及び脱臭フィルターを通過する室内空気の風量が低下すれば、使用者はこの情報により集塵フィルター及び脱臭フィルターが交換時期となったことを確認でき、空気清浄性能が低下したまま空気清浄機を一定の時間まで使い続けることなく集塵フィルター及び脱臭フィルターを交換できるため、空気清浄性能が維持しやすい。
【符号の説明】
【０１５４】
１  本体前側ケース、１ａ  本体前側ケース上面、２  本体後側ケース、３  操作部、４  前側カバー、５  吸込口、６  吹出口、６ａ  可動ルーバー、７  携帯情報端末近接部、８  臭気センサー、９  ハンドル、１０  集塵フィルター（浄化手段）、１１  脱臭フィルター（浄化手段）、１２  情報送信手段、１３  電動送風機、１３ａ  ファンモーター、１３ｂ  ファン、１４  制御部、１５  制御手段、１６  記憶手段、１７  通電時間計時手段、１８  通電時間積算手段、２１  風量センサー、２２  ほこりセンサー、２３  湿度センサー、３１  携帯情報端末、１００  空気清浄機。
【図１】
2016087510.tif 000003
【図２】
2016087510.tif 000004
【図３】
2016087510.tif 000005
【図４】
2016087510.tif 000006
【図５】
2016087510.tif 000007
【図６】
2016087510.tif 000008
【図７】
2016087510.tif 000009
【図８】
2016087510.tif 000010
【図９】
2016087510.tif 000011
【図１０】
2016087510.tif 000012
【図１１】
2016087510.tif 000013